(57)【要約】【課題】洗浄作業に要する時間を短縮する。【解決手段】フラッシング装置１は、圧縮された空気と共に送り込まれる洗浄液で配管Ｐ内の洗浄を行う。具体的に、フラッシング装置１は、洗浄液となる水道水を水源から配管Ｐに供給する洗浄液供給経路２と、洗浄液供給経路２の途中に設けられ、空気による圧力で作動して洗浄液を脈動させる脈動ポンプ３と、脈動ポンプ３に空気を供給すると共に、洗浄液供給経路２における脈動ポンプ３より下流に合流して洗浄液に空気を供給する空気供給経路４と、を備えている。【選択図】図１
2020025927.tif 000002
【特許請求の範囲】
【請求項１】
圧縮された空気と共に送り込まれる洗浄液で配管内の洗浄を行うフラッシング装置であって、
前記洗浄液となる水道水を水源から前記配管に供給する洗浄液供給経路と、
前記洗浄液供給経路の途中に設けられ、前記空気による圧力で作動して前記洗浄液を脈動させる脈動ポンプと、
前記脈動ポンプに前記空気を供給すると共に、前記洗浄液供給経路における前記脈動ポンプより下流に合流して前記洗浄液に前記空気を供給する空気供給経路と、を備えていることを特徴とする
配管のフラッシング装置。
【請求項２】
前記洗浄液を前記配管から回収して前記洗浄液供給経路に循環させる洗浄液循環経路と、
前記洗浄液循環経路内に設けられ、前記洗浄により生じた前記洗浄液内の不純物を取り除くフィルターと、
前記洗浄液循環経路における前記フィルターより上流から分岐して、前記洗浄液と共に前記不純物を排出する不純物排出経路と、を備えていることを特徴とする
請求項１に記載の配管のフラッシング装置。
【請求項３】
前記洗浄液循環経路上、又は前記洗浄液供給経路における前記脈動ポンプより上流に設けられ、前記洗浄液内の前記空気を排出する空気排出手段を備えていることを特徴とする
請求項２に記載の配管のフラッシング装置。
【請求項４】
前記洗浄液循環経路、又は前記洗浄液供給経路における前記脈動ポンプより上流に合流して前記洗浄液に洗浄薬を供給する洗浄薬供給経路を備えていることを特徴とする
請求項２又は３に記載の配管のフラッシング装置。
【請求項５】
前記洗浄液循環経路、又は前記洗浄液供給経路における前記脈動ポンプより上流から分岐して、前記洗浄が完了した後の前記洗浄水を排出する洗浄液排出経路を備えていることを特徴とする
請求項２〜４のいずれかに記載の配管のフラッシング装置。
【請求項６】
前記脈動ポンプは、ダイヤフラムポンプであることを特徴とする
請求項１〜５のいずれかに記載の配管のフラッシング装置。
【発明の詳細な説明】
【技術分野】
【０００１】
本発明は、給水管や給湯管などの配管を洗浄するフラッシング装置に関する。
【背景技術】
【０００２】
住宅の給水管は、台所、便所、洗面所、風呂場等の各所に水道水を供給するために、上流端から途中で順々に分岐しつつ下流端の複数の蛇口に向けて延びている。このような給水管は、経年劣化でサビ等が生じた場合に、耐腐食性の塗料を用いたライニング工法で更生が行われることがある。ライニング工法では、配管に塗料を流し込んで塗膜を形成する前に、圧縮された空気と共に送り込まれる洗浄液で洗浄を行い、配管内のサビ等の除去を行う（例えば、特許文献１参照）。
【先行技術文献】
【特許文献】
【０００３】
【特許文献１】特開２０１７−０７４５８７号公報
【発明の概要】
【発明が解決しようとする課題】
【０００４】
リフォームが行われた住宅には、蛇口が廃止されることで、分岐した箇所から不要になった給水管（いわゆる死に管）が残存する場合がある。このような死に管が残存する場合に洗浄を行うと、配管から剥がれ落ちたサビが死に管の中に入り込んで溜まってしまう。このため、死に管の中にサビが溜まることのないよう、十分な時間をかけて洗浄を行う必要がある。また、給水管は床下に配置されているので、死に管の存否が不明なことが多く、死に管が残存しない場合であっても、死に管が残存する場合と同じように作業を行う必要があり、必要以上の時間をかけなければならない。
【０００５】
本発明は、上記課題を鑑みてなされたものであり、洗浄作業に要する時間を短縮することができるフラッシング装置を提供することを目的とする。
【課題を解決するための手段】
【０００６】
（１）本発明は、圧縮された空気と共に送り込まれる洗浄液で配管内の洗浄を行うフラッシング装置であって、前記洗浄液となる水道水を水源から前記配管に供給する洗浄液供給経路と、前記洗浄液供給経路の途中に設けられ、前記空気による圧力で作動して前記洗浄液を脈動させる脈動ポンプと、前記脈動ポンプに前記空気を供給すると共に、前記洗浄液供給経路における前記脈動ポンプより下流に合流して前記洗浄液に前記空気を供給する空気供給経路と、を備えていることを特徴とする配管のフラッシング装置である。
【０００７】
本発明によれば、脈動ポンプを作動させる空気の経路と同じ経路の空気を、脈動する洗浄液に混合するので、空気と洗浄液とを互いに略同じ圧力にした上で混合することができる。このようにして空気を混合した洗浄液を配管に供給するので、配管の洗浄能力を高めることができる。このため、いわゆる死に管の存否に関わらず、洗浄作業に要する時間を短縮することができる。
【０００８】
（２）本発明はまた、前記洗浄液を前記配管から回収して前記洗浄液供給経路に循環させる洗浄液循環経路と、前記洗浄液循環経路内に設けられ、前記洗浄により生じた前記洗浄液内の不純物を取り除くフィルターと、前記洗浄液循環経路における前記フィルターより上流から分岐して、前記洗浄液と共に前記不純物を排出する不純物排出経路と、を備えていることを特徴とする上記（１）に記載の配管のフラッシング装置である。
【０００９】
上記発明によれば、不純物を除去しつつ洗浄液を循環させて繰り返し用いることができるので、洗浄液となる水道水の無駄をなくすことができる。
【００１０】
（３）本発明はまた、前記洗浄液循環経路上、又は前記洗浄液供給経路における前記脈動ポンプより上流に設けられ、前記洗浄液内の前記空気を排出する空気排出手段を備えていることを特徴とする上記（２）に記載の配管のフラッシング装置である。
【００１１】
上記発明によれば、洗浄液内の余分な空気を排出してから、洗浄液を繰り返し用いることができるので、配管内が不必要に高圧になってしまうことを防止することができる。
【００１２】
（４）本発明はまた、前記洗浄液循環経路、又は前記洗浄液供給経路における前記脈動ポンプより上流に合流して前記洗浄液に洗浄薬を供給する洗浄薬供給経路を備えていることを特徴とする上記（２）又は（３）に記載の配管のフラッシング装置である。
【００１３】
上記発明によれば、水道水に洗浄薬を混合したものを洗浄液に用いることができるので、水道水をそのまま洗浄液として用いる場合と比較して、配管の洗浄能力を高めることができる。
【００１４】
（５）本発明はまた、前記洗浄液循環経路、又は前記洗浄液供給経路における前記脈動ポンプより上流から分岐して、前記洗浄が完了した後の前記洗浄水を排出する洗浄液排出経路を備えていることを特徴とする上記（２）〜（４）のいずれかに記載の配管のフラッシング装置である。
【００１５】
上記発明によれば、脈動ポンプを停止させると共に洗浄液排出経路を開放することで、空気供給経路から供給される空気の圧力によって、洗浄が完了した後の洗浄液を配管から排出することができる。
【００１６】
（６）本発明はまた、前記脈動ポンプは、ダイヤフラムポンプであることを特徴とする上記（１）〜（５）のいずれかに記載の配管のフラッシング装置である。
【００１７】
上記発明によれば、耐薬品性に優れたダイヤフラムポンプを用いているので、耐久性をもたせることができる。
【発明の効果】
【００１８】
本発明の上記（１）〜（６）に記載の配管のフラッシング装置によれば、洗浄作業に要する時間を短縮することができる。
【図面の簡単な説明】
【００１９】
【図１】本発明の実施形態に係る配管のフラッシング装置を示す模式図である。
【発明を実施するための形態】
【００２０】
以下、図面を参照して、本発明の実施形態に係る配管Ｐのフラッシング装置１について、詳細に説明する。
【００２１】
まず、図１を用いて、配管Ｐのフラッシング装置１の構成を説明する。図１は、配管Ｐのフラッシング装置１を示す模式図である。
【００２２】
図１に示す配管Ｐのフラッシング装置１は、住宅等の給水管や給湯管（配管）Ｐに対して作業するライニング工法での更生に用いられる。フラッシング装置１によるライニング工法では、配管Ｐに塗料を流し込んで塗膜を形成する前に、圧縮された空気と共に送り込まれる洗浄液で洗浄を行い、配管Ｐ内のサビ等の除去を行う。配管Ｐは、台所、便所、洗面所、風呂場等に水道水を供給するために床下に配置されている。具体的に、配管Ｐは、上流端から途中で順々に分岐しつつ下流端の複数の蛇口（図示省略）に向けて延びている。ここでは、分岐した箇所から不要になったいわゆる死に管Ｐｄを有している配管Ｐに対して更生を行う場合を例に説明する。
【００２３】
フラッシング装置１は、洗浄液供給経路２と、脈動ポンプ３と、空気供給経路４と、洗浄液循環経路５と、フィルター６と、不純物排出経路７と、空気排出手段８と、洗浄薬供給経路９と、洗浄液排出経路１０と、複数の開閉弁Ｖと、複数の圧力計Ｍと、等を備えている。
【００２４】
洗浄液供給経路２は、その上流端が水源（配管Ｐの上流端が元々接続されていた給水管）Ｗに接続されると共に、その下流端が配管Ｐの上流端に接続される。この洗浄液供給経路２は、洗浄液となる水道水を水源Ｗから配管Ｐに供給する。このような洗浄液供給経路２には、上流から下流に向けて、洗浄薬供給経路９との合流箇所、空気排出手段８との分岐箇所、洗浄液循環経路５との合流箇所、脈動ポンプ３、空気供給経路４との合流箇所が順番に配置されている。
【００２５】
脈動ポンプ３は、洗浄液供給経路２の途中に設けられているダイヤフラムポンプであり、空気供給経路４から供給される空気による圧力で作動して、洗浄液供給経路２から配管Ｐに供給される洗浄液を脈動させる。
【００２６】
空気供給経路４は、エアーコンプレッサ等の空圧源Ａに接続される上流端から、途中で順々に分岐しつつ下流端が外気に開放するように延びている。この空気供給経路４は、分岐した先が脈動ポンプ３に接続されていて、当該脈動ポンプ３に圧縮された空気を供給する。また、空気供給経路４は、分岐した他の先が、洗浄液供給経路２における脈動ポンプ３より下流に合流して洗浄液に圧縮された空気を供給する。
【００２７】
洗浄液循環経路５は、その複数の上流端の各々が配管Ｐの複数の下流端に接続されると共に、合流してからその下流端が、洗浄液供給経路２における脈動ポンプ３より上流に合流している。この洗浄液循環経路５は、洗浄液を配管Ｐから回収して洗浄液供給経路２に循環させる。このような洗浄液循環経路５には、上流から下流に向けて、不純物排出経路７との分岐箇所、フィルター６、洗浄液排出経路１０との分岐箇所が順番に配置されている。
【００２８】
フィルター６は、洗浄液循環経路５内に設けられ、配管Ｐ内の洗浄により生じた洗浄液内の不純物を取り除く。すなわち、フィルター６は、洗浄液循環経路５におけるフィルター６より下流に不純物が流れることを防止する。
【００２９】
不純物排出経路７は、洗浄液循環経路５におけるフィルター６より上流から分岐するように設けられ、洗浄液と共に洗浄液内の不純物を排出する。
【００３０】
空気排出手段８は、洗浄液供給経路２における脈動ポンプ３より上流から分岐するように設けられ、洗浄液内の空気を排出する。この空気排出手段８は、洗浄液内の空気の流通を可能にしている一方で、洗浄液の流通を不可能にしている。
【００３１】
洗浄薬供給経路９は、洗浄液供給経路２における脈動ポンプ３より上流に合流するように設けられ、洗浄液に洗浄薬を供給する。洗浄薬としては、塩酸、苛性ソーダ水溶液、過酸化水素水等が適宜選択される。
【００３２】
洗浄液排出経路１０は、洗浄液循環経路５から分岐するように設けられ、配管Ｐの洗浄が完了した後の洗浄水を排出する。
【００３３】
複数の開閉弁Ｖは、それぞれが必要箇所に設けられ、開又は閉の状態で用いられる。
【００３４】
複数の圧力計Ｍは、それぞれが必要箇所に設けられ、洗浄液又は空圧の確認を可能にしている。
【００３５】
次に、図１を用いて、フラッシング装置１による作用を説明する。
【００３６】
図１に示すように、水源Ｗからの水道水を洗浄液として洗浄液供給経路２が配管Ｐに供給する。洗浄薬供給経路９から洗浄薬が供給される場合には、水道水に洗浄薬を混合した洗浄液を洗浄液供給経路２が配管Ｐに供給する。配管Ｐに供給される洗浄液は、脈動ポンプ３の作動によって脈動し、空気供給経路４から供給された空気が混合している。
【００３７】
配管Ｐを洗浄した洗浄液は、洗浄液循環経路５に回収される。洗浄液循環経路５に回収された洗浄液は、フィルター６で洗浄液内の不純物が取り除かれてから、洗浄液供給経路２における脈動ポンプ３より上流に戻される。フィルター６で取り除かれた不純物は、洗浄液の一部と共に不純物排出経路７から排出される。洗浄液供給経路２に戻された洗浄液に混合している空気は、必要に応じて空気排出手段８から排出される。配管Ｐの洗浄が完了した後の洗浄水は、配管Ｐの洗浄が完了した後に、洗浄液排出経路１０から排出される。
【００３８】
このように、上述した配管Ｐのフラッシング装置１によれば、脈動ポンプ３を作動させる空気の経路と同じ経路の空気を、脈動する洗浄液に混合するので、空気と洗浄液とを互いに略同じ圧力にした上で混合することができる。このようにして空気を混合した洗浄液を配管Ｐに供給するので、配管Ｐの洗浄能力を高めることができる。このため、いわゆる死に管Ｐｄの存否に関わらず、洗浄作業に要する時間を短縮することができる。
【００３９】
そして、不純物を除去しつつ洗浄液を循環させて繰り返し用いることができるので、洗浄液となる水道水の無駄をなくすことができる。
【００４０】
また、洗浄液内の余分な空気を排出してから、洗浄液を繰り返し用いることができるので、配管Ｐ内が不必要に高圧になってしまうことを防止することができる。
【００４１】
さらに、水道水に洗浄薬を混合したものを洗浄液に用いることができるので、水道水をそのまま洗浄液として用いる場合と比較して、配管Ｐの洗浄能力を高めることができる。
【００４２】
そして、脈動ポンプ３を停止させると共に洗浄液排出経路１０を開放することで、空気供給経路４から供給される空気の圧力によって、洗浄が完了した後の洗浄液を配管Ｐから排出することができる。
【００４３】
また、耐薬品性に優れたダイヤフラムポンプ３を用いているので、耐久性をもたせることができる。
【００４４】
本発明は、上記実施形態に限られるものではなく、その趣旨及び技術思想を逸脱しない範囲で種々の変形が可能である。
【００４５】
すなわち、上記実施形態において、空気排出手段８が洗浄液供給経路２から分岐するように設けられている場合を例に説明したが、本発明はこれに限定されるものではなく、空気排出手段８が洗浄液循環経路５から分岐するように設けられているものであってもよい。
【００４６】
あるいは、上記実施形態において、洗浄薬供給経路９が洗浄液供給経路２に合流するように設けられている場合を例に説明したが、本発明はこれに限定されるものではなく、洗浄薬供給経路９が洗浄液循環経路５に合流するように設けられているものであってもよい。
【００４７】
あるいは、上記実施形態において、洗浄液排出経路１０が洗浄液循環経路５から分岐するように設けられている場合を例に説明したが、本発明はこれに限定されるものではなく、洗浄液排出経路１０が、洗浄液供給経路２における脈動ポンプ３より上流から分岐するように設けられているものであってもよい。
【符号の説明】
【００４８】
１  フラッシング装置
２  洗浄液供給経路
３  脈動ポンプ（ダイヤフラムポンプ）
４  空気供給経路
５  洗浄液循環経路
６  フィルター
７  不純物排出経路
８  空気排出手段
９  洗浄薬供給経路
１０  洗浄液排出経路
Ｖ  開閉弁
Ｍ  圧力計
Ｐ  配管
Ｐｄ  死に管
Ｗ  水源
Ａ  空圧源
【図１】
2020025927.tif 000003
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
圧縮された空気と共に送り込まれる洗浄液で給水管又は給湯管内の洗浄を行うフラッシング装置であって、
前記洗浄液となる水道水を水源から前記給水管又は前記給湯管に供給する洗浄液供給経路と、
前記洗浄液供給経路の途中に設けられ、前記空気による圧力で作動して前記洗浄液を脈動させる脈動ポンプと、
前記脈動ポンプに前記空気を供給すると共に、前記洗浄液供給経路における前記脈動ポンプより下流に合流して、脈動する前記洗浄液に前記空気を供給する空気供給経路と、を備えていることを特徴とする
フラッシング装置。
【請求項２】
前記洗浄液を前記給水管又は前記給湯管から回収して前記洗浄液供給経路に循環させる洗浄液循環経路と、
前記洗浄液循環経路内に設けられ、前記洗浄により生じた前記洗浄液内の不純物を取り除くフィルターと、
前記洗浄液循環経路における前記フィルターより上流から分岐して、前記洗浄液と共に前記不純物を排出する不純物排出経路と、を備えていることを特徴とする
請求項１に記載のフラッシング装置。
【請求項３】
前記洗浄液循環経路上、又は前記洗浄液供給経路における前記脈動ポンプより上流に設けられ、前記洗浄液内の前記空気を排出する空気排出手段を備えていることを特徴とする
請求項２に記載のフラッシング装置。
【請求項４】
前記洗浄液循環経路、又は前記洗浄液供給経路における前記脈動ポンプより上流に合流して前記洗浄液に洗浄薬を供給する洗浄薬供給経路を備えていることを特徴とする
請求項２又は３に記載のフラッシング装置。
【請求項５】
前記洗浄液循環経路、又は前記洗浄液供給経路における前記脈動ポンプより上流から分岐して、前記洗浄が完了した後の前記洗浄水を排出する洗浄液排出経路を備えていることを特徴とする
請求項２〜４のいずれかに記載のフラッシング装置。
【請求項６】
前記脈動ポンプは、ダイヤフラムポンプであることを特徴とする
請求項１〜５のいずれかに記載のフラッシング装置。
【手続補正２】
【補正対象書類名】明細書
【補正対象項目名】０００６
【補正方法】変更
【補正の内容】
【０００６】
（１）本発明は、圧縮された空気と共に送り込まれる洗浄液で給水管又は給湯管内の洗浄を行うフラッシング装置であって、前記洗浄液となる水道水を水源から前記給水管又は前記給湯管に供給する洗浄液供給経路と、前記洗浄液供給経路の途中に設けられ、前記空気による圧力で作動して前記洗浄液を脈動させる脈動ポンプと、前記脈動ポンプに前記空気を供給すると共に、前記洗浄液供給経路における前記脈動ポンプより下流に合流して、脈動する前記洗浄液に前記空気を供給する空気供給経路と、を備えていることを特徴とするフラッシング装置である。
【手続補正３】
【補正対象書類名】明細書
【補正対象項目名】０００７
【補正方法】変更
【補正の内容】
【０００７】
本発明によれば、脈動ポンプを作動させる空気の経路と同じ経路の空気を、脈動する洗浄液に混合するので、空気と洗浄液とを互いに略同じ圧力にした上で混合することができる。このようにして空気を混合した洗浄液を給水管又は給湯管に供給するので、給水管又は給湯管の洗浄能力を高めることができる。このため、いわゆる死に管の存否に関わらず、洗浄作業に要する時間を短縮することができる。
【手続補正４】
【補正対象書類名】明細書
【補正対象項目名】０００８
【補正方法】変更
【補正の内容】
【０００８】
（２）本発明はまた、前記洗浄液を前記給水管又は前記給湯管から回収して前記洗浄液供給経路に循環させる洗浄液循環経路と、前記洗浄液循環経路内に設けられ、前記洗浄により生じた前記洗浄液内の不純物を取り除くフィルターと、前記洗浄液循環経路における前記フィルターより上流から分岐して、前記洗浄液と共に前記不純物を排出する不純物排出経路と、を備えていることを特徴とする上記（１）に記載のフラッシング装置である。
【手続補正５】
【補正対象書類名】明細書
【補正対象項目名】００１０
【補正方法】変更
【補正の内容】
【００１０】
（３）本発明はまた、前記洗浄液循環経路上、又は前記洗浄液供給経路における前記脈動ポンプより上流に設けられ、前記洗浄液内の前記空気を排出する空気排出手段を備えていることを特徴とする上記（２）に記載のフラッシング装置である。
【手続補正６】
【補正対象書類名】明細書
【補正対象項目名】００１１
【補正方法】変更
【補正の内容】
【００１１】
上記発明によれば、洗浄液内の余分な空気を排出してから、洗浄液を繰り返し用いることができるので、給水管又は給湯管内が不必要に高圧になってしまうことを防止することができる。
【手続補正７】
【補正対象書類名】明細書
【補正対象項目名】００１２
【補正方法】変更
【補正の内容】
【００１２】
（４）本発明はまた、前記洗浄液循環経路、又は前記洗浄液供給経路における前記脈動ポンプより上流に合流して前記洗浄液に洗浄薬を供給する洗浄薬供給経路を備えていることを特徴とする上記（２）又は（３）に記載のフラッシング装置である。
【手続補正８】
【補正対象書類名】明細書
【補正対象項目名】００１３
【補正方法】変更
【補正の内容】
【００１３】
上記発明によれば、水道水に洗浄薬を混合したものを洗浄液に用いることができるので、水道水をそのまま洗浄液として用いる場合と比較して、給水管又は給湯管の洗浄能力を高めることができる。
【手続補正９】
【補正対象書類名】明細書
【補正対象項目名】００１４
【補正方法】変更
【補正の内容】
【００１４】
（５）本発明はまた、前記洗浄液循環経路、又は前記洗浄液供給経路における前記脈動ポンプより上流から分岐して、前記洗浄が完了した後の前記洗浄水を排出する洗浄液排出経路を備えていることを特徴とする上記（２）〜（４）のいずれかに記載のフラッシング装置である。
【手続補正１０】
【補正対象書類名】明細書
【補正対象項目名】００１５
【補正方法】変更
【補正の内容】
【００１５】
上記発明によれば、脈動ポンプを停止させると共に洗浄液排出経路を開放することで、空気供給経路から供給される空気の圧力によって、洗浄が完了した後の洗浄液を給水管又は給湯管から排出することができる。
【手続補正１１】
【補正対象書類名】明細書
【補正対象項目名】００１６
【補正方法】変更
【補正の内容】
【００１６】
（６）本発明はまた、前記脈動ポンプは、ダイヤフラムポンプであることを特徴とする上記（１）〜（５）のいずれかに記載のフラッシング装置である。
【手続補正１２】
【補正対象書類名】明細書
【補正対象項目名】００１８
【補正方法】変更
【補正の内容】
【００１８】
本発明の上記（１）〜（６）に記載のフラッシング装置によれば、洗浄作業に要する時間を短縮することができる。